(57)【要約】【課題】  現地において接続される現地配線を引き込むため引込口と、引き込まれた現地配線を接続する端子部を有する端子台とを備えた電装品箱において、現地配線の配線作業の作業性を損なうことなく、電装品箱のコンパクト化が可能な配線構造を提供する。【解決手段】  電装品箱６の配線構造は、現地配線Ｗ1が引込口６７ａから端子部６５ａに至るまでの間の引き込み経路Ｓ3の周辺に設けられており、取付板６２と配線保持部７２とを備えている。取付板６２は、電装品箱６内に設けられ、端子台６５が取り付けられている。配線保持部７２は、取付板６２の端子台６５の近傍に設けられ、トランス６４から制御Ｐ板６３の接続部６３ａに接続された配線Ｗ2を引き込み経路Ｓ3にはみ出させないようにしている。【選択図】      図４
2005069638.tif 000002
【特許請求の範囲】
【請求項１】
現地において接続される現地配線（Ｗ1）を引き込むための引込口（６７ａ）と、引き込まれた前記現地配線を接続する端子部（６５ａ）を有する端子台（６５）とを備えた電装品箱において、引き込まれた前記現地配線が前記引込口から前記端子部に至るまでの間の引き込み経路の（Ｓ1）周辺に設けられた電装品箱の配線構造であって、
前記電装品箱内に設けられ、前記端子台が取り付けられる取付板（６２）と、
前記取付板の前記端子台の近傍に設けられ、前記現地配線以外の配線（Ｗ2）を前記引き込み経路にはみ出させないようにする配線保持部（７２）と、
を備えた電装品箱の配線構造。
【請求項２】
前記配線保持部（７２）は、電装品箱の正面視において、一部が前記引き込み経路（Ｓ3）に重なるように配置されている、請求項１に記載の電装品箱の配線構造。
【請求項３】
前記配線保持部（７２）は、前記現地配線以外の配線（Ｗ2）が収容される溝部（７２ａ）と、前記溝部に収容された前記現地配線以外の配線が前記溝部からはみ出さないように押さえる爪部（７２ａ）とを有している、請求項２に記載の電装品箱の配線構造。
【請求項４】
前記溝部（７２ｂ）は、前記端子部（６５ａ）よりも端子列方向の長さが長くなっている、請求項３に記載の電装品箱の配線構造。
【請求項５】
空気調和装置の室内ユニットや室外ユニットを構成する電装品箱であって、
現地において接続される現地配線（Ｗ1）を引き込むための引込口（６７ａ）を有する箱本体（６１）と、
前記箱本体内に引き込まれた前記現地配線を接続する端子部（６５ａ）を有する端子台（６５）と、
請求項１〜４のいずれかに記載の電装品箱の配線構造と、
を備えた電装品箱（６）。
【発明の詳細な説明】
【技術分野】
【０００１】
本発明は、電装品箱の配線構造、特に、現地において接続される現地配線を引き込むための引込口と引き込まれた現地配線を接続する端子部を有する端子台とを備えた電装品箱において、引き込まれた現地配線が引込口から端子部に至るまでの間の引き込み経路の周辺に設けられた電装品箱の配線構造に関する。
【背景技術】
【０００２】
空気調和装置の室内ユニットや室外ユニットを構成する電装品箱には、制御Ｐ板等の各種電気部品の他、外部電源線等のような現地において接続される配線（以下、現地配線とする）を箱内に引き込むための引込口と、引き込まれた現地配線を接続する端子部を有する端子台とが設けられている（例えば、特許文献１参照。）。そして、箱内に引き込まれた現地配線が引込口から端子部に至るまでの間の経路（以下、引き込み経路とする）及び引き込み経路の周辺には、現地配線の配線作業の作業性を損なうことのないように、他の配線（電装品箱内部の電気部品間を接続する配線、室内ユニットや室外ユニットを構成する機器・センサ類に接続される配線等）を配置しないようにしている。
【０００３】
ところで、近年、室内ユニット及び室外ユニットのコンパクト化のために、電装品箱をコンパクト化する必要性が増している。例えば、ダクト構造を有する空気調和装置の室内ユニットでは、従来、電装品箱がユニットケーシングの外側の側面に固定されているが（例えば、特許文献２参照）、この電装品箱を室内ユニットのケーシング内に格納させる必要性から電装品箱のコンパクト化が要求されている。しかし、このような必要性に対して、電装品箱のコンパクト化をしようとしても、現地配線の配線作業の作業性を考慮すると、引き込み経路の周辺に他の配線を配置できないことから、他の電気部品を配置に制約が生じてしまい、結果として、十分なコンパクト化を図ることができない。
【特許文献１】特開平６−３４１６９９号公報
【特許文献２】特開平２−１１０２１９号公報
【発明の開示】
【発明が解決しようとする課題】
【０００４】
本発明の課題は、現地において接続される現地配線を引き込むための引込口と、引き込まれた現地配線を接続する端子部を有する端子台とを備えた電装品箱において、現地配線の配線作業の作業性を損なうことなく、電装品箱のコンパクト化が可能な配線構造を提供することにある。
【課題を解決するための手段】
【０００５】
請求項１に記載の電装品箱の配線構造は、現地において接続される現地配線を引き込むための引込口と、引き込まれた現地配線を接続する端子部を有する端子台とを備えた電装品箱において、引き込まれた現地配線が引込口から端子部に至るまでの間の引き込み経路の周辺に設けられた電装品箱の配線構造であって、取付板と、配線保持部とを備えている。取付板は、電装品箱内に設けられ、端子台が取り付けられている。配線保持部は、取付板の端子台の近傍に設けられ、現地配線以外の配線を引き込み経路にはみ出させないようにしている。
【０００６】
この電装品箱の配線構造では、現地配線以外の配線を引き込み経路にはみ出させないようする配線保持部が端子台の近傍に設けられているため、現地配線の配線作業の作業性を損なうことなく、現地配線以外の配線を引き込み経路の周辺に配置することができるようになる。これにより、電装品箱内における他の電気部品を配置の制約が少なくなり、電装品箱のコンパクト化が可能となる。
【０００７】
請求項２に記載の電装品箱の配線構造は、請求項１において、配線保持部は、電装品箱の平面視において、一部が引き込み経路に重なるように配置されている。
この電装品箱の配線構造では、配線保持部の一部が電装品箱の平面視において引き込み経路に重なるように配置されているため、現地配線以外の配線が引き込み経路へはみ出すのを立体的に防ぐことができる。
【０００８】
請求項３に記載の電装品箱の配線構造は、請求項２において、配線保持部は、現地配線以外の配線が収容される溝部と、溝部に収容された現地配線以外の配線が溝部からはみ出さないように押さえる爪部とを有している。
この電装品箱の配線構造では、配線保持部が溝部と爪部とから構成されているため、簡単な構造でありながら、現地配線以外の配線が引き込み経路へはみ出すのを確実に防ぐことができる。
【０００９】
請求項４に記載の電装品箱の配線構造は、請求項３において、溝部は、端子部よりも端子列方向の長さが長くなっている。
この電装品箱の配線構造では、溝部が端子部よりも端子列方向の長さが長くなっているため、現地配線以外の配線が引き込み経路へはみ出すのを確実に防ぐことができる。
請求項５に記載の電装品箱は、空気調和装置の室内ユニットや室外ユニットを構成する電装品箱であって、現地において接続される現地配線を引き込むための引込口を有する箱本体と、箱本体内に引き込まれた現地配線を接続する端子部を有する端子台と、請求項１〜４のいずれかに記載の電装品箱の配線構造とを備えている。
【００１０】
この電装品箱では、現地配線以外の配線を引き込み経路にはみ出させないようする配線保持部が端子台の近傍に設けられた配線構造を備えているため、現地配線の配線作業の作業性を損なうことなく、現地配線以外の配線を引き込み経路の周辺に配置することができるようになる。これにより、電装品箱内における他の電気部品を配置の制約が少なくなり、電装品箱のコンパクト化が可能となる。
【発明の効果】
【００１１】
以上の説明に述べたように、本発明によれば、以下の効果が得られる。
請求項１にかかる発明では、現地配線以外の配線を引き込み経路にはみ出させないようする配線保持部が端子台の近傍に設けられているため、現地配線の配線作業の作業性を損なうことなく、現地配線以外の配線を引き込み経路の周辺に配置することができるようになる。これにより、電装品箱内における他の電気部品を配置の制約が少なくなり、電装品箱のコンパクト化が可能となる。
【００１２】
請求項２にかかる発明では、配線保持部の一部が電装品箱の平面視において引き込み経路に重なるように配置されているため、現地配線以外の配線が引き込み経路へはみ出すのを立体的に防ぐことができる。
請求項３にかかる発明では、配線保持部が溝部と爪部とから構成されているため、簡単な構造でありながら、現地配線以外の配線が引き込み経路へはみ出すのを確実に防ぐことができる。
【００１３】
請求項４にかかる発明では、溝部が端子部よりも端子列方向の長さが長くなっているため、現地配線以外の配線が引き込み経路へはみ出すのを確実に防ぐことができる。
請求項５にかかる発明では、現地配線以外の配線を引き込み経路にはみ出させないようする配線保持部が端子台の近傍に設けられた配線構造を備えているため、現地配線の配線作業の作業性を損なうことなく、現地配線以外の配線を引き込み経路の周辺に配置することができるようになる。これにより、電装品箱内における他の電気部品を配置の制約が少なくなり、電装品箱のコンパクト化が可能となる。
【発明を実施するための最良の形態】
【００１４】
以下、本発明にかかる電装品箱の配線構造及び電装品箱の実施形態について、図面に基づいて説明する。
（１）室内ユニットの全体構造
図１及び図２は、本発明にかかる電装品箱の配線構造及び電装品箱の一実施形態が採用された室内ユニット１を示す平面図（ユニットケーシングの上面を取り除いて図示）及び側面図（図１のＡ矢視図）である。この室内ユニット１は、空調室の天井裏の空間に配置されたダクト構造のものである。この室内ユニット１は、室外に配置される室外ユニット（図示せず）に冷媒連絡配管（図示せず）を介して接続されている。
【００１５】
室内ユニット１は、主に、略箱状のユニットケーシング２と、送風機３と、熱交換器５と、電装品箱６とを備えている。
ユニットケーシング２は、その内部に送風機３、熱交換器５及び電装品箱６を格納するための部材であり、主に、下面２ａ（図１の紙面奥側の面）側が開口したケーシング本体２１と、ケーシング本体２１を下側から覆うように配置されたケーシング蓋部材２２とを備えている。
【００１６】
ユニットケーシング２には、その下面２ａ及び背面２ｂ（図１の紙面上側の面）にユニット吸入口２ｇ、２ｈを有し送風機３が配置される送風機室Ｓ1と、前面２ｃ（図１の紙面下側の面）にユニット吹出口２ｉを有し熱交換器５が配置される熱交換器室Ｓ2とが形成されている。尚、ユニット吸入口２ｇ、２ｈは、天井裏の空間における設置条件に応じて、いずれか一方を選択して用いることができるようになっている。送風機室Ｓ1と熱交換器室Ｓ2とは、ユニットケーシング２内に配置された仕切板２３によって前後に仕切られることによって形成されている。仕切板２３には、送風機３を構成する３つのスクロールケーシング３１ａ〜３１ｃのスクロール吸入口３５ａ〜３５ｃ（後述）のそれぞれに対応するように形成された３つの開口２３ａ〜２３ｃが形成されている。
【００１７】
送風機３は、送風機室Ｓ1内に配置されており、ユニット吸入口２ｇ、２ｈから送風機室Ｓ1内に空気を吸入して昇圧し、仕切板２３の開口２３ａ〜２３ｃを介して熱交換器室Ｓ2に吹き出すための機器である。送風機３は、本実施形態において、３つのスクロール形状のスクロールケーシング３１ａ〜３１ｃと、各スクロールケーシング３１ａ〜３１ｃ内に配置された羽根車３２ａ〜３２ｃと、羽根車３２ａ〜３２ｃを回転駆動する電動機３３とを備えている。
【００１８】
各スクロールケーシング３１ａ〜３１ｃは、両吸い込み形式の送風機を構成するためにその両側面に形成されたスクロール吸入口３４ａ〜３４ｃと、スクロール吸入口３４ａ〜３４ｃに交差する方向に空気を吹き出すように形成されたスクロール吸入口３５ａ〜３５ｃとを有している。そして、各スクロールケーシング３１ａ〜３１ｃは、スクロール吸入口３４ａ〜３４ｃがユニットケーシング２の側方を向くように、かつ、スクロール吸入口３５ａ〜３５ｃが仕切板２３に形成された開口２３ａ〜２３ｃにそれぞれ対応するように、ユニットケーシング２の左側面２ｄ（図１の紙面左側の面）から右側面２ｅ（図１の紙面右側の面）に向かって順に並んで配置されている。
【００１９】
羽根車３２ａ〜３２ｃは、本実施形態において、両吸い込みの多翼送風機用の羽根車であり、各スクロールケーシング３１ａ〜３１ｃ内に配置されている。尚、羽根車及びスクロールケーシングは、本実施形態において、３つあるが、これに限定されるものではなく、１つや２つ、又は４つ以上であってもよい。また、羽根車及びスクロールケーシングは、本実施形態において、両吸い込み形式であるが、片吸い込み形式であってもよい。
【００２０】
電動機３３は、本実施形態において、ユニットケーシング２の平面視において、スクロールケーシング３１ｂと３１ｃとの間に配置されており、支持部材３３ａを介して仕切板２３やケーシング本体２１に固定されている。電動機３３のシャフト３３ｂは、ユニットケーシング２の左側面２ｄ（図１の紙面左側の面）から右側面２ｅ（図１の紙面右側の面）に向かって延びており、各羽根車３２ａ〜３２ｃが軸支されている。そして、シャフト３３ｂの左側面側の端部は、軸受３３ｃを介してユニットケーシング２の左側面２ｄに支持されている。
【００２１】
これにより、送風機３を駆動すると、ユニット吸入口２ｇ、２ｈから送風機室Ｓ1内に空気が取り込まれ、取り込まれた空気がスクロール吸入口３４ａ〜３４ｃを通じて各スクロールケーシング３１ａ〜３１ｃ内に吸入され、羽根車３２ａ〜３２ｃによって羽根車３２ａ〜３２ｃの外周側に吹き出される。そして、羽根車３２ａ〜３２ｃの外周側に吹き出されて昇圧された空気は、仕切板２３の各開口２３ａ〜２３ｃに対応するように配置された各スクロールケーシング３１ａ〜３１ｃのスクロール吹出口３５ａ〜３５ｃから熱交換器室Ｓ2内に吹き出されるようになっている。
【００２２】
熱交換器５は、熱交換器室Ｓ2内に配置されており、送風機室Ｓ1内で送風機３によって昇圧されて各スクロールケーシング３１ａ〜３１ｃのスクロール吹出口３５ａ〜３５ｃから熱交換器室Ｓ2内に吹き出された空気を熱交換させるための機器である。熱交換器５は、本実施形態において、クロスフィンチューブ式の熱交換器であり、斜めに傾斜するように配置されている。そして、熱交換器５の下側には、ドレンパン２ｊが配置されており、熱交換器５で発生した結露水を受けることができるようになっている。
【００２３】
これにより、スクロール吹出口３５ａ〜３５ｃから熱交換器室Ｓ2内に吹き出された空気は、熱交換器５の伝熱管内を流れる冷媒と熱交換を行うことによって冷却又は加熱されて、ユニット吹出口２ｉから空調室内に吹き出されるようになっている。
電装品箱６は、主に、室内ユニット１の運転制御を行うための制御Ｐ板等を含む各種電気部品が収納されており、ユニットケーシング２内に配置されている。より具体的には、電装品箱６は、送風機室Ｓ1内のユニットケーシング２の右側面２ｅ側において、スクロールケーシング３１ｃに隣接するように配置されている。そして、ユニットケーシング２の右側面２ｅのうち電装品箱６の正面側に対応する部分である蓋部２ｋは、電装品箱６の蓋部材として機能しており、現地作業時に取り外し可能になっている。
【００２４】
（２）電装品箱の構造
以下、電装品箱６の構造について、図２、図３及び図４を用いて説明する。ここで、図３は、電装品箱６の正面図である。図４は、電装品箱６の端子台６５付近を示す斜視図である。
電装品箱６は、主に、板金製の枠部材６１（箱本体）と、樹脂製の取付板６２と、各種電気部品としての制御Ｐ板６３、トランス６４及び端子台６５とを備えている。
【００２５】
枠部材６１は、ユニットケーシング２の右側面２ｅの内側において右側面２ｅとの間に間隔を空けて配置された正面板部６６と、ユニットケーシング２の下面２ａの内側に沿って配置された底面板部６７と、ユニットケーシング２の背面２ｂの内側に沿って配置された側面板部６８とを有している。正面板部６６は、電装品箱６の正面視において、左下側の部分と右下側の部分とに第１貫通孔６６ａと第２貫通孔６６ｂとを有している。底面板部６７は、ユニットケーシング２の外部から電装品箱６内に貫通する孔からなる引込口６７ａを有している。この引込口６７ａは、現地において室内ユニット１の外部から外部電源線等の現地配線Ｗ1を電装品箱６内に引き込むための孔である。引込口６７ａには、環状のガイド部材７０が取り付けられている。
【００２６】
取付板６２は、正面板部６１ａの正面側にネジ６９等を用いて取り付けられている。取付板６２は、枠部材６１の正面板部６６に形成された第１貫通孔６６ａ及び第２貫通孔６６ｂに対応する位置に第１貫通孔６２ａ及び第２貫通孔６２ｂを有している。これらの第１貫通孔６２ａ、６６ａ及び第２貫通孔６２ｂ、６６ｂは、電装品箱６とユニットケーシング２内に配置された送風機３等の機器や各種センサとを接続するための配線を通すための孔である。取付板６２の電装品箱６の正面視における下側の部分は、一部切り欠かれており、この部分にトランス６４がネジ７１を用いて取り付けられている。制御Ｐ板６３は、取付板６２の上半分の領域に取り付けられている。電装品箱６内における電気部品間を接続するための配線の一つであるトランス６４の配線Ｗ2は、電装品箱６の正面視において、制御Ｐ板６３の左上側の部分に配置された接続部６３ａに接続されている。
【００２７】
端子台６５は、電装品箱６の正面視において、トランス６４の左側であって引込口６７ａの斜め上方の位置に取付板６２に取り付けられている。端子台６５は、現地において室内ユニット１の外部から現地配線Ｗ1を接続するための端子部６５ａを有している。この端子部６５ａの端子列は、電装品箱６の正面視において、側方に向かって並ぶように配置されている。このため、現地配線Ｗ1は、引込口６７ａから端子部６５ａに至るまでの間の空間からなる引き込み経路Ｓ3内に配置されることになる。ここで、取付板６２の端子台６５が取り付けられた部分である突出部６２ｃは、電装品箱６の正面視において、端子台６５の周囲の部分よりも正面側に向かって突出している。そして、この突出部６２ｃの端子部６５ａの近傍には、トランス６４から制御Ｐ板６３の接続部６３ａに接続される配線Ｗ2を引き込み経路Ｓ3内にはみ出させないようにするための配線保持部７２が設けられている。
【００２８】
配線保持部７２は、配線Ｗ2が収容される溝部７２ａと、配線Ｗ2が溝部７２ａからはみ出さないように押さえる２つの爪部７２ｂとから構成されている。この配線保持部７２は、電装品箱６の正面視において、現地配線Ｗ1の引き込み経路Ｓ3の奥側を端子部６５ａの端子列方向に横切るように配置されている。すなわち、配線保持部７２は、電装品箱６の正面視において、一部が引き込み経路Ｓ3に重なるように配置されている。これにより、配線保持部７２は、配線Ｗ2が引き込み経路Ｓ3にはみ出すのを立体的に防ぐことができるようになっている。しかも、溝部７２ａの端子列方向の長さＬ1は、端子部６５ａの端子列長さＬ2よりも長くなっているため、配線Ｗ2が引き込み経路Ｓ3にはみ出すの確実に防ぐことができるようになっている。また、配線保持部７２が設けられた突出部６２ｃは、電装品箱６の正面視において、端子台６５の周囲の部分よりも正面側に向かって突出しており、溝部７２ａを設けるのに適している。
【００２９】
このように、本実施形態の電装品箱６では、トランス６４の配線Ｗ2を現地配線Ｗ1の引き込み経路Ｓ3にはみ出させないようするための配線保持部７２からなる配線構造が端子台６５の近傍に設けられている。
（３）電装品箱への現地配線の配線作業
本実施形態の電装品箱６への現地配線Ｗ1の配線作業について、図２、図３及び図４を用いて説明する。
【００３０】
電装品箱６は、現地配線Ｗ1を引き込む前において、電装品箱６内部の電気部品間を接続する配線や電装品箱６の各種電気部品とユニットケーシング２内の機器・各種センサとを接続するための配線がなされた状態になっている。ここで、その配線の一つであるトランス６４の配線Ｗ2は、電装品箱６の正面視において、現地配線Ｗ1の引き込み経路Ｓ3の奥側を端子部６５ａの端子列方向に横切るように配線されて、制御Ｐ板６３の左上側の部分に配置された接続部６３ａに接続されている。そして、配線Ｗ2が引き込み経路Ｓ3の奥側を横切る部分については、図３に示されるように、配線保持部７２によって現地配線Ｗ1の引き込み経路Ｓ3にはみださないように保持されている。具体的には、配線Ｗ2は、配線保持部７２を構成する溝部７２ａ内に収容されて、２つの爪部７２ｂによって溝部７２ａからはみ出さないように押さえられている。これらの配線作業は、現地において室内ユニット１を空調室の天井裏の空間の所定の位置に配置する前に行われる。
【００３１】
このような状態でユニットケーシング２内に組み込まれた電装品箱６を備えた室内ユニット１を空調室の天井裏の空間の所定の位置に配置し、その後、現地配線の作業を行う。  現地配線の作業では、ユニットケーシング２の右側面２ｅの蓋部２ｋを取り外し、図２及び図４に示されるように、現地配線Ｗ1を室内ユニット１の外部から引込口６７ａを通じて電装品箱６内に挿入する。そして、電装品箱６内に挿入された現地配線Ｗ1を引き込み経路Ｓ3を通じて端子台６５の端子部６５ａまで引き込んで端子部６５ａに接続する。このとき、配線Ｗ2は、配線保持部７２の溝部７２ａ内に収容されて、２つの爪部７２ｂによって溝部７２ａから引き込み経路Ｓ3にはみ出さないように押さえられているため、引き込み経路Ｓ3通じて現地配線Ｗ1を端子台６５の端子部６５ａまで引き込む作業や、現地配線Ｗ1を端子部６５ａに接続する作業を阻害しないようになっている。
【００３２】
このように、本実施形態の電装品箱６では、電装品箱６内部の電気部品間を接続する配線の一つとしての配線Ｗ2が端子台６５の近傍を通過するように配置されているのにもかかわらず、配線Ｗ2が引き込み経路Ｓ3にはみ出さないようになっているため、現地配線Ｗ1を電装品箱６への配線作業の作業性が損なわれることないようになっている。
（４）電装品箱の配線構造及び電装品箱の特徴
本実施形態の電装品箱６の配線構造及び電装品箱６には、以下のような特徴がある。
【００３３】
（Ａ）
本実施形態の電装品箱６の配線構造では、現地配線Ｗ1以外の配線の一つである配線Ｗ2を引き込み経路Ｓ3にはみ出させないようする配線保持部７２が端子台６５の近傍に設けられているため、現地配線Ｗ1の配線作業の作業性を損なうことなく、配線Ｗ2を引き込み経路Ｓ3の周辺に配置することができるようになる。このため、現地配線Ｗ1の配線作業の作業性を考慮して、トランス６４を図３における端子台６５の左側の位置に配置する等のように、電装品箱６内における現地配線Ｗ1の周辺に他の配線（電装品箱内部の電気部品間を接続する配線、室内ユニットや室外ユニットを構成する機器・センサ類に接続される配線等）の配置を制約してしまうという問題が生じないようになっている。
【００３４】
これにより、電装品箱６のコンパクト化が可能となり、図５に示される従来の室内ユニット９０１のように、ユニットケーシング９０２の外側の側面に電装品箱９０６を設ける必要がなくなる。
（Ｂ）
本実施形態の電装品箱６の配線構造では、配線保持部７２の一部が電装品箱６の平面視において引き込み経路Ｓ3に重なるように配置されているため、現地配線Ｗ1以外の配線の一つである配線Ｗ2が引き込み経路Ｓ3へはみ出すのを立体的に防ぐことができる。
【００３５】
（Ｃ）
本実施形態の電装品箱６の配線構造では、配線保持部７２が溝部７２ａと爪部７２ｂとから構成されているため、簡単な構造でありながら、現地配線Ｗ1以外の配線の一つである配線Ｗ2が引き込み経路Ｓ3へはみ出すのを確実に防ぐことができる。
また、溝部７２ａの端子列方向の長さＬ1は、端子部６５ａの端子列長さＬ2よりも長くなっているため、現地配線Ｗ1以外の配線の一つである配線Ｗ2が引き込み経路Ｓ3へはみ出すのを確実に防ぐことができる。
【００３６】
（５）他の実施形態
以上、本発明の実施形態について図面に基づいて説明したが、具体的な構成は、これらの実施形態に限られるものではなく、発明の要旨を逸脱しない範囲で変更可能である。
（Ａ）前記実施形態においては、端子台６５とトランス６４との配置関係の制約をなくすために、現地配線Ｗ1以外の配線の一つとして、トランス６４と制御Ｐ板６３の接続部６３ａとを接続する配線Ｗ2を対象としたが、他の配線（電装品箱内部の電気部品間を接続する配線、室内ユニットや室外ユニットを構成する機器・センサ類に接続される配線等）であって電気部品の配置に制約が生じているものがある場合には、その電気部品に関する配線を対象にしてもよい。
【００３７】
（Ｂ）前記実施形態においては、ダクト構造を有する空気調和装置の室内ユニットの電装品箱に対して本発明を適用したが、これに限定されず、他の構造の室内ユニットや室外ユニットの電装品箱に本発明を適用してもよい。
【産業上の利用可能性】
【００３８】
本発明を利用すれば、現地において接続される現地配線を引き込むため引込口と、引き込まれた現地配線を接続する端子部を有する端子台とを備えた電装品箱において、現地配線の配線作業の作業性を損なうことなく、電装品箱のコンパクト化が可能な配線構造を提供することができる。
【図面の簡単な説明】
【００３９】
【図１】室内ユニットの平面図（ユニットケーシングの上面を取り除いて図示）である。
【図２】室内ユニットの側面図（図１のＡ矢視図）である。
【図３】電装品箱の平面図である。
【図４】電装品箱の端子台付近を示す斜視図である。
【図５】従来のダクト構造の室内ユニットを示す斜視図である。
【符号の説明】
【００４０】
６  電装品箱
６１  枠部材（箱本体）
６２  取付板
６５  端子台
６５ａ  端子部
６７ａ  引込口
７２  配線保持部
７２ａ  溝部
７２ｂ  爪部
Ｓ3  引き込み経路
Ｗ1  現地配線
【図１】
2005069638.tif 000003
【図２】
2005069638.tif 000004
【図３】
2005069638.tif 000005
【図４】
2005069638.tif 000006
【図５】
2005069638.tif 000007